(57)【要約】【課題】OFDM復調におけるFFT処理後の信号品質の劣化を抑える。【解決手段】シンボル同期部１５では、チューナが、OFDM方式で伝送されたOFDM信号を受信し、FFT部は、受信されたOFDM信号のうちFFT区間の信号に対して、FFTを施し、IFFT部４１は、受信されたOFDM信号から遅延プロファイルを推定し、ISI推定部４２は、推定された遅延プロファイルを用いて、FFT区間の複数の候補のそれぞれに対するISI量を推定し、最小値探索部４３は、FFT区間の複数の候補の中から、推定されたISI量が最小となる候補を探索し、探索された候補をFFT区間としてFFT部に供給する。本発明は、例えば、OFDM復調装置に適用できる。【選択図】図５
2010081514.tif 000002
【特許請求の範囲】
【請求項１】
OFDM(Orthogonal Frequency Division Multiplexing)方式で伝送されたOFDM信号を受信する受信手段と、
前記受信手段に受信された前記OFDM信号のうち所定区間の信号に対して、FFT(Fast Fourier Transform)を施すFFT演算手段と、
前記受信手段に受信された前記OFDM信号から遅延プロファイルを推定する遅延プロファイル推定手段と、
前記遅延プロファイル推定手段により推定された前記遅延プロファイルを用いて、前記所定区間の複数の候補のそれぞれに対するシンボル間干渉量を推定するシンボル間干渉量推定手段と、
前記所定区間の複数の候補の中から、前記シンボル間干渉量推定手段により推定された前記シンボル間干渉量が最小となる候補を探索し、探索された候補を前記所定区間として前記FFT演算手段に供給する探索手段と
を備える情報処理装置。
【請求項２】
前記シンボル間干渉量推定手段は、シンボル間干渉期間を示すフィルタ係数が時間方向に変化するフィルタであって、その変化の形状が下に凸の形状であるフィルタを、前記所定区間の複数の候補のそれぞれに対応する各フィルタ位置に配置して、前記フィルタを用いて前記遅延プロファイルに対してフィルタ処理を施すことで、前記複数の候補のそれぞれに対する前記シンボル間干渉量を推定する
請求項１に記載の情報処理装置。
【請求項３】
前記下に凸の形状の前記フィルタのうち、前記フィルタ係数が最小となる範囲は、前記OFDM信号のガードインタバル長と同一範囲である
請求項２に記載の情報処理装置。
【請求項４】
前記遅延プロファイル推定手段により推定された前記遅延プロファイルの基準位置を推定する基準位置推定手段をさらに備え、
前記シンボル間干渉量推定手段は、前記基準位置推定手段により推定された前記基準位置を用いて、前記遅延プロファイルを補正し、補正後の前記遅延プロファイルを用いて、前記シンボル間干渉量を推定する
請求項１に記載の情報処理装置。
【請求項５】
前記遅延プロファイル推定手段により推定された前記遅延プロファイルの遅延広がりを推定する遅延広がり推定手段をさらに備え、
前記探索手段は、前記所定区間の複数の候補を一次選抜候補として、前記一次選抜候補の中から、前記遅延広がり推定手段により推定された前記遅延広がりに基づいて二次選抜候補を選抜し、選抜された二次選抜候補の中から、前記シンボル間干渉量推定手段により推定された前記シンボル間干渉量が最小となる候補を探索し、探索された候補を前記所定区間として前記FFT演算手段に供給する
請求項１に記載の情報処理装置。
【請求項６】
前記遅延プロファイル推定手段により推定された前記遅延プロファイルの遅延広がりを推定する遅延広がり推定手段をさらに備え、
前記シンボル間干渉量推定手段は、さらに、前記遅延広がり推定手段により推定された前記遅延広がりに応じて、前記フィルタの形状を変更し、変更後のフィルタを用いて、前記遅延プロファイルに対してフィルタ処理を施す
請求項２に記載の情報処理装置。
【請求項７】
OFDM(Orthogonal Frequency Division Multiplexing)方式で伝送されたOFDM信号を受信する情報処理装置が、受信された前記OFDM信号のうち所定区間の信号に対して、FFT(Fast Fourier Transform)を施す場合、
受信された前記OFDM信号から遅延プロファイルを推定し、
推定された前記遅延プロファイルを用いて、前記所定区間の複数の候補のそれぞれに対するシンボル間干渉量を推定し、
前記所定区間の複数の候補の中から、推定された前記シンボル間干渉量が最小となる候補を探索し、探索された候補を前記所定区間として決定する
ステップを含む情報処理方法。
【請求項８】
OFDM(Orthogonal Frequency Division Multiplexing)方式で伝送されたOFDM信号を受信し、受信された前記OFDM信号のうち所定区間の信号に対して、FFT(Fast Fourier Transform)を施す受信装置を制御するコンピュータに、
受信された前記OFDM信号から遅延プロファイルを推定し、
推定された前記遅延プロファイルを用いて、前記所定区間の複数の候補のそれぞれに対するシンボル間干渉量を推定し、
前記所定区間の複数の候補の中から、推定された前記シンボル間干渉量が最小となる候補を探索し、探索された候補を前記所定区間として決定する
ステップを含む制御処理を実行させるプログラム。
【請求項９】
OFDM(Orthogonal Frequency Division Multiplexing)方式で伝送されたOFDM信号を受信する受信手段と、
前記受信手段に受信された前記OFDM信号のうち所定区間の信号に対して、FFT(Fast Fourier Transform)を施すFFT演算手段と、
前記FFT演算手段によりFFTが施された前記OFDM信号に対応する映像を表示する表示手段と、
前記受信手段により受信された前記OFDM信号から遅延プロファイルを推定する遅延プロファイル推定手段と、
前記遅延プロファイル推定手段により推定された前記遅延プロファイルを用いて、前記所定区間の複数の候補のそれぞれに対するシンボル間干渉量を推定するシンボル間干渉量推定手段と、
前記所定区間の複数の候補の中から、前記シンボル間干渉量推定手段により推定された前記シンボル間干渉量が最小となる候補を探索し、探索された候補を前記所定区間として前記FFT演算手段に供給するする探索手段と
を備える表示装置。
【発明の詳細な説明】
【技術分野】
【０００１】
本発明は、情報処理装置及び方法、表示装置、並びにプログラムに関し、特に、OFDM復調におけるFFT処理後の信号品質の劣化を抑えることが可能になった情報処理装置及び方法、表示装置、並びにプログラムに関する。
【背景技術】
【０００２】
地上デジタル放送の変調方式として、直交周波数分割多重方式（OFDM(Orthogonal Frequency Division Multiplexing)方式）が提案されている（例えば、特許文献１参照）。OFDM方式とは、多数の直交搬送波を用い、各搬送波をPSK(Phase Shift Keying)やQAM(Quadrature Amplitude Modulation)で変調する方式をいう。
【０００３】
OFDM方式は、多数のサブキャリアに伝送帯域全体を分割するため、サブキャリア１波あたりの帯域は狭くなり、伝送速度は遅くなる。しかしながら、OFDM方式は、トータルの伝送速度という点で考えると、従来の変調方式と変わらないという特徴を有している。
【０００４】
また、OFDM方式は、多数のサブキャリアが並列に伝送されるために、シンボル速度が遅くなるという特徴を有している。そのため、１シンボルの時間長に対する相対的なマルチパスの時間長を短くすることができる。これにより、マルチパスによる影響を受けにくくすることができるという特徴をOFDM方式は有していることになる。
【０００５】
さらに、OFDM方式では、複数のサブキャリアにデータが割り当てられる。このため、逆フーリエ変換を変調時に行うIFFT(Inverse Fast Fourier Transform)演算回路を用いることにより送信回路を構成することができる。また、フーリエ変換を復調時に行うFFT(Fast Fourier Transform)演算回路を用いることにより受信回路を構成することができる。
【０００６】
OFDM方式においては、信号の伝送はOFDMシンボルと称される単位で行われる。
【０００７】
図１は、OFDMシンボルを示す図である。
【０００８】
図１に示されるように、１OFDMシンボルは、送信時にIFFT処理が施される信号区間である有効シンボルと、有効シンボルの後半の一部分の波形がコピーされたガードインターバル（以下、GIと称する）とから構成される。GIは、時間軸上で有効シンボルの前の位置に挿入される。
【０００９】
このようなOFDMシンボルが複数集められて１つのOFDM伝送フレームが形成される。例えば、日本における地上デジタル放送の規格としては、ISDB-T(Integrated Services Digital Broadcasting-Terrestrial)規格がある。このISDB-T規格においては、２０４のOFDMシンボルから１つのOFDM伝送フレームが形成される。
【００１０】
OFDM伝送フレームを受信する受信側では、各OFDMシンボルの有効シンボルに対してFFT処理が施されることでOFDM復調が行われる。
【００１１】
但し、マルチパス環境下では、直接波としての主波の他に、主波に対して所定時間だけ遅延して到来する遅延波も存在することがある。この場合、同じOFDMシンボルであっても、主波におけるOFDMシンボルと遅延波におけるOFDMシンボルとでは到来時刻が異なっている。そこで、異なるOFDMシンボル同士の干渉であるシンボル間干渉（以下、ISI(Inter-Symbol Interference)と称する）が生じる。
【００１２】
主波の到来時刻からGIを超えない時間範囲で遅延波が到来する場合、FFT処理を施す区間として、シンボル間干渉に侵されていない区間を利用することができる。これにより、FFT処理後の信号品質の劣化を防ぐことができる。
【特許文献１】特開２００５−３０３４４０号公報
【発明の開示】
【発明が解決しようとする課題】
【００１３】
しかしながら、主波の到来時刻からGIを超えた時間範囲内で遅延波が到来する場合、いずれの区間を用いても、シンボル間干渉に侵されている区間に対してFFT処理を施すことになる。従って、FFT処理後の信号がシンボル間干渉の影響を受けることになる。
【００１４】
本発明は、このような状況に鑑みてなされたものであり、OFDM復調におけるFFT処理後の信号品質の劣化を抑えることができるようにするものである。
【課題を解決するための手段】
【００１５】
本発明の第１の側面の情報処理装置は、OFDM(Orthogonal Frequency Division Multiplexing)方式で伝送されたOFDM信号を受信する受信手段と、前記受信手段に受信された前記OFDM信号のうち所定区間の信号に対して、FFT(Fast Fourier Transform)を施すFFT演算手段と、前記受信手段に受信された前記OFDM信号から遅延プロファイルを推定する遅延プロファイル推定手段と、前記遅延プロファイル推定手段により推定された前記遅延プロファイルを用いて、前記所定区間の複数の候補のそれぞれに対するシンボル間干渉量を推定するシンボル間干渉量推定手段と、前記所定区間の複数の候補の中から、前記シンボル間干渉量推定手段により推定された前記シンボル間干渉量が最小となる候補を探索し、探索された候補を前記所定区間として前記FFT演算手段に供給する探索手段とを備える。
【００１６】
前記シンボル間干渉量推定手段には、シンボル間干渉期間を示すフィルタ係数が時間方向に変化するフィルタであって、その変化の形状が下に凸の形状であるフィルタを、前記所定区間の複数の候補のそれぞれに対応する各フィルタ位置に配置させて、前記フィルタを用いて前記遅延プロファイルに対してフィルタ処理を施すことで、前記複数の候補のそれぞれに対する前記シンボル間干渉量を推定させることができる。
【００１７】
前記下に凸の形状の前記フィルタのうち、前記フィルタ係数が最小となる範囲は、前記OFDM信号のガードインタバル長と同一範囲である。
【００１８】
本発明の第１の側面の情報処理装置には、前記遅延プロファイル推定手段により推定された前記遅延プロファイルの基準位置を推定する基準位置推定手段をさらに設け、前記シンボル間干渉量推定手段には、前記基準位置推定手段により推定された前記基準位置を用いて、前記遅延プロファイルを補正させ、補正後の前記遅延プロファイルを用いて、前記シンボル間干渉量を推定させることができる。
【００１９】
本発明の第１の側面の情報処理装置には、前記遅延プロファイル推定手段により推定された前記遅延プロファイルの遅延広がりを推定する遅延広がり推定手段をさらに設け、前記探索手段には、前記所定区間の複数の候補を一次選抜候補として、前記一次選抜候補の中から、前記遅延広がり推定手段により推定された前記遅延広がりに基づいて二次選抜候補を選抜させ、選抜された二次選抜候補の中から、前記シンボル間干渉量推定手段により推定された前記シンボル間干渉量が最小となる候補を探索させ、探索された候補を前記所定区間として前記FFT演算手段に供給させることができる。
【００２０】
本発明の第１の側面の情報処理装置には、前記遅延プロファイル推定手段により推定された前記遅延プロファイルの遅延広がりを推定する遅延広がり推定手段をさらに設け、前記シンボル間干渉量推定手段には、さらに、前記遅延広がり推定手段により推定された前記遅延広がりに応じて、前記フィルタの形状を変更させ、変更後のフィルタを用いて、前記遅延プロファイルに対してフィルタ処理を施すことができる。
【００２１】
本発明の第１の側面の情報処理方法は、OFDM(Orthogonal Frequency Division Multiplexing)方式で伝送されたOFDM信号を受信する情報処理装置が、受信された前記OFDM信号のうち所定区間の信号に対して、FFT(Fast Fourier Transform)を施す場合、受信された前記OFDM信号から遅延プロファイルを推定し、推定された前記遅延プロファイルを用いて、前記所定区間の複数の候補のそれぞれに対するシンボル間干渉量を推定し、前記所定区間の複数の候補の中から、推定された前記シンボル間干渉量が最小となる候補を探索し、探索された候補を前記所定区間として決定するステップを含む。
【００２２】
本発明の第１の側面のプログラムは、OFDM(Orthogonal Frequency Division Multiplexing)方式で伝送されたOFDM信号を受信し、受信された前記OFDM信号のうち所定区間の信号に対して、FFT(Fast Fourier Transform)を施す受信装置を制御するコンピュータに、受信された前記OFDM信号から遅延プロファイルを推定し、推定された前記遅延プロファイルを用いて、前記所定区間の複数の候補のそれぞれに対するシンボル間干渉量を推定し、前記所定区間の複数の候補の中から、推定された前記シンボル間干渉量が最小となる候補を探索し、探索された候補を前記所定区間として決定するステップを含む制御処理を実行させる。
【００２３】
本発明の第２の側面の表示装置は、OFDM(Orthogonal Frequency Division Multiplexing)方式で伝送されたOFDM信号を受信する受信手段と、前記受信手段に受信された前記OFDM信号のうち所定区間の信号に対して、FFT(Fast Fourier Transform)を施すFFT演算手段と、前記FFT演算手段によりFFTが施された前記OFDM信号に対応する映像を表示する表示手段と、前記受信手段により受信された前記OFDM信号から遅延プロファイルを推定する遅延プロファイル推定手段と、前記遅延プロファイル推定手段により推定された前記遅延プロファイルを用いて、前記所定区間の複数の候補のそれぞれに対するシンボル間干渉量を推定するシンボル間干渉量推定手段と、前記所定区間の複数の候補の中から、前記シンボル間干渉量推定手段により推定された前記シンボル間干渉量が最小となる候補を探索し、探索された候補を前記所定区間として前記FFT演算手段に供給するする探索手段とを備える。
【００２４】
本発明の第１の側面においては、OFDM方式で伝送されたOFDM信号が受信され、受信された前記OFDM信号のうち所定区間の信号に対して、FFT(Fast Fourier Transform)が施され、受信された前記OFDM信号から遅延プロファイルが推定され、推定された前記遅延プロファイルを用いて、前記所定区間の複数の候補のそれぞれに対するシンボル間干渉量が推定され、前記所定区間の複数の候補の中から、推定された前記シンボル間干渉量が最小となる候補が探索され、探索された候補が前記所定区間とされる。
【００２５】
本発明の第２の側面においては、OFDM方式で伝送されたOFDM信号が受信され、受信された前記OFDM信号のうち所定区間の信号に対して、FFT(Fast Fourier Transform)が施され、FFTが施された前記OFDM信号に対応する映像が表示され、受信された前記OFDM信号から遅延プロファイルが推定され、推定された前記遅延プロファイルを用いて、前記所定区間の複数の候補のそれぞれに対するシンボル間干渉量が推定され、前記所定区間の複数の候補の中から、推定された前記シンボル間干渉量が最小となる候補が探索され、探索された候補が前記所定区間とされる。
【発明の効果】
【００２６】
本発明によれば、OFDM復調におけるFFT処理後の信号品質の劣化を抑えることができる。
【発明を実施するための最良の形態】
【００２７】
以下、図面を参照して、本発明を適用した情報処理装置の実施形態として、４つの実施の形態（以下、それぞれ第１乃至第４の実施形態と称する）について説明する。よって、説明は以下の順序で行う。
１．第１の実施形態（遅延プロファイルを用いて適切なFFT区間を求める例）
２．第２の実施形態（正しい遅延プロファイルを得るために遅延プロファイルを補正する例）
３．第３の実施形態（FFT窓処理を実行するのに適切なFFT区間を求める例）
４．第４の実施形態（FFT窓処理を実行するのに適切なFFT区間を求める他の例）
【００２８】
＜１．第１の実施形態＞
【００２９】
［OFDM復調装置の構成例］
【００３０】
図２は、本発明が適用される情報処理装置の第１の実施形態としてのOFDM復調装置の構成例を示す図である。
【００３１】
第１の実施形態のOFDM復調装置１０には、アンテナ１１、チューナ１２、A/D(Analog/Digital)変換部１３、直交復調部１４、シンボル同期部１５、及びFFT部１６が設けられている。さらに、OFDM復調装置１０には、SP抽出部１７、時間方向伝送路推定部１８、周波数補間フィルタ選択部１９、周波数補間部２０、除算部２１、誤り訂正部２２、及び表示部２３が設けられている。
【００３２】
［OFDM復調装置１０の処理例］
【００３３】
図３は、OFDM復調装置１０の処理（以下、OFDM復調処理と称する）の一例について説明するフローチャートである。
【００３４】
ステップＳ１において、チューナ１２は、アンテナ１１により受信されたRF信号をIF信号に周波数変換し、A/D変換部１３に供給する。
【００３５】
ステップＳ２において、A/D変換部１３は、IF信号に対してA/D変換を施し、その結果得られるデジタルのIF信号を直交復調部１４に供給する。
【００３６】
ステップＳ３において、直交復調部１４は、所定の周波数（搬送波周波数）のキャリア信号を用いて、デジタル化されたIF信号を直交復調し、ベースバンドのOFDM信号を出力する。
【００３７】
直交復調部１４から出力されるベースバンドのOFDM信号は、FFT演算される前のいわゆるOFDM時間領域信号である。このOFDM時間域信号は、直交復調された結果、実軸成分（Ｉチャンネル信号）と虚軸（Ｑチャンネル信号）とを含んだ複素信号となる。OFDM時間領域信号は、FFT部１６に供給される。
【００３８】
ステップＳ４において、シンボル同期部１５は、時間方向伝送路推定部１８からの伝送路推定値群を用いて、FFTスタート時刻を決定してFFT部１６に供給する。ここで、FFTスタート時刻とは、FFT処理を施す区間（以下、FFT区間と称する）の開始時刻をいう。これにより、FFT区間も決定される。このようなシンボル同期部１５による一連の処理を、以下、シンボル同期処理と称する。シンボル同期部１５やシンボル同期処理の詳細例については、後述する。
【００３９】
ステップＳ５において、FFT部１６は、OFDM時間領域信号のうち、FFTスタート時刻に基づくFFT区間の範囲のデータに対してFFT演算処理を施す。その結果得られる信号は、FFT演算後のいわゆる周波数領域の信号である。このことから、以下、OFDM時間領域信号に対してFFT演算が施された後の信号を、OFDM周波数領域信号と称する。即ち、OFDM周波数領域信号は、FFT部１６から出力されて、SP抽出部１７及び除算部２１に供給される。
【００４０】
ステップＳ６において、SP抽出部１７は、OFDM周波数領域信号からSP信号を抽出し、SP信号の変調成分の除去を行なう。その結果として、SP信号の位置での伝送路特性が推定され、SP抽出部１７から時間方向伝送路推定部１８に供給される。
【００４１】
ここで、SP信号（スキャッタードパイロット信号）とは、OFDM受信装置側において伝送路特性（周波数特性）を推定するために用いられる分散パイロット信号をいう。
【００４２】
OFDM伝送フレームを形成するOFDMシンボルとしては、データを伝送するデータ搬送波の他に、このSP信号も存在する。即ち、SP信号も、それぞれのサブキャリアに割り当てられる。
【００４３】
図４は、サブキャリアへのSP信号の割り当てを示す図である。図４において、１つの丸印は１つのOFDMシンボルを示している。白丸印は、伝送の対象になるデータ搬送波を示している。黒丸印は、SP信号を示している。
【００４４】
SP信号は、既知の振幅と位相を持つ複素ベクトルであり、図４に示されるように、OFDM伝送フレームにおいて３サブキャリア毎に配置される。SP信号とSP信号の間には伝送の対象になるデータ搬送波が配置される。OFDM受信機においては、伝送路特性の影響を受けて歪んだ状態でSP信号が得られる。この受信時のSP信号と、既知の送信時のSP信号とを比較することによって、伝送路特性が取得される。
【００４５】
図３に戻り、ステップＳ７において、時間方向伝送路推定部１８は、SP信号の位置での伝送路特性に基づいて、各OFDMシンボル毎に、SP信号が配置されているサブキャリアの時間方向の伝送路特性を推定する。その結果、全てのOFDMシンボルに対して、周波数方向に3サブキャリア毎の伝送路特性が推定され、時間方向伝送路推定部１８から出力されることになる。
【００４６】
なお、以下、時間方向伝送路推定部１８から出力されるデータを、SP信号を含むサブキャリアの伝送路推定値群と称する。さらにまた、SP信号を含むサブキャリアの伝送路推定値群を、伝送路推定値群と適宜略称する。SP信号を含むサブキャリアの伝送路推定値群は、シンボル同期部１５、周波数補間フィルタ選択部１９、及び周波数補間部２０に供給される。
【００４７】
ステップＳ８において、周波数補間フィルタ選択部１９は、SP信号を含むサブキャリアの伝送路推定値群に基づいて、周波数補間部２０で用いる周波数補間フィルタのフィルタ種類を選択する。周波数補間フィルタ選択部１９は、選択したフィルタ種類を示す周波数補間フィルタ選択信号を周波数補間部２０に供給する。
【００４８】
ステップＳ９において、周波数補間部２０は、周波数補間フィルタ選択信号によって示されるフィルタ種類の周波数補間フィルタを用いて、SP信号を含むサブキャリアの伝送路推定値群に対してフィルタ処理を施すことにより、周波数方向の伝送路特性を推定する。その結果、全サブキャリアの伝送路推定値群が得られ、周波数補間部２０から除算部２１に供給される。
【００４９】
ステップＳ１０において、除算部２１は、FFT部１６からのサブキャリア毎のOFDM周波数領域信号を、そのサブキャリアの伝送路推定値で除算する。これにより、伝送路の補償が行われる。除算部２１は、その結果得られるサブキャリア毎のOFDM周波数領域信号をOFDM復調後の信号として、後段の回路に出力する。なお、出力されるOFDM復調後の信号を、以下、OFDM復調出力信号と称する。
【００５０】
OFDM復調出力信号は、誤り訂正部２２に供給される。誤り訂正部２２は、送信側でインターリーブされている信号に対してデインターリーブ処理を施す。これにより、デパンクチャ、ビタビ復号、拡散信号除去、及びRS（Reed Solomon）復号を通して、復号データが得られ、誤り訂正部２２から表示部２３に出力される。表示部２３は、復号データに対応する映像を表示する。
【００５１】
以下、図５乃至図１０を参照して、シンボル同期部１５の詳細例について説明する。
【００５２】
［シンボル同期部１５の構成例］
【００５３】
図５は、図２のシンボル同期部１５の詳細な構成例を示す図である。
【００５４】
シンボル同期部１５は、IFFT部４１、ISI推定部４２、及び最小値探索部４３から構成される。
【００５５】
IFFT部４１は、伝送路推定値群に対して逆FFT変換（以下、IFFT処理と称する）を施し、その結果得られる遅延プロファイルを、ISI推定部４２に供給する。
【００５６】
ここで、遅延プロファイルとは、送信側の装置（図示せず）からOFDM復調装置１０に到達する伝送路の時間域でのインパルス応答をいう。
【００５７】
なお、図５のSP信号を含むサブキャリアの伝送路推定値群の下方の図に示される矢印は、１つの伝送路推定値を示している。この図に示されるように、各伝送路推定値は、サブキャリア番号のそれぞれに対して与えられている。但し、SP信号を含むサブキャリアの伝送路推定値群は、当然ながらSP信号を含むサブキャリア以外のサブキャリアについての伝送路推定値を含まない。従って、この図において、SP信号を含むサブキャリア以外のサブキャリアについてのサブキャリア番号についての伝送路推定値は0となっている点に留意すべきである。
【００５８】
ISI推定部４２は、FFTスタート時刻の候補（以下、FFTスタート時刻候補と称する）を順次設定し、FFTスタート時刻候補に対するISIの量（以下、ISI量と称する）を順次推定していく。ISI推定部４２は、全FFTスタート時刻候補に対するISI量を推定し終えると、全FFTスタート時刻候補に対するISI量のそれぞれを最小値探索部４３に供給する。
【００５９】
即ち、例えば、ISI推定部４２は、各FFTスタート時刻候補に対応するフィルタ位置に所定のフィルタを配置する。例えば図５のISI推定部４２のブロック図内に描画された形状のフィルタが配置される。このフィルタを、以下、ISI推定フィルタと称する。なお、ISI推定フィルタの詳細については、図７等を参照して後述する。ISI推定部４２は、ISI推定フィルタを用いてIFFT処理後の遅延プロファイルに対してフィルタ処理を施すことで、各FFTスタート時刻候補に対するISI量をそれぞれ推定する。これにより、各FFT区間候補に対するISI量がそれぞれ推定される。
【００６０】
最小値探索部４３は、全FFTスタート時刻候補の中から、ISI量が最小となるFFTスタート時刻候補を、FFTスタート時刻として探索して出力する。即ち、例えば、最小値探索部４３は、図５の最小値探索部４３のブロック図内に描画された図の最小点と記述された▲（黒三角の印）により示されるFFTスタート時刻候補を、FFTスタート時刻として探索して出力する。これにより、FFT区間も決定される。
【００６１】
［遅延プロファイルを用いたISI量の推定］
【００６２】
図６は、遅延プロファイルを用いたISI量の推定について説明するための図である。
【００６３】
図６Ａは、マルチパス環境下のOFDM時間領域信号の構成を示す図である。図６Ｂは、遅延プロファイルを示す図である。
【００６４】
図６において、水平右方向は時間方向を示しており、各時刻は、OFDM時間領域信号の到来時刻を示す。
【００６５】
図６Ａの例では、OFDM時間領域信号の直接波を含む３つのパスp1乃至p3が存在している。
【００６６】
各パスp1乃至p3の図６中上下方向の幅は、各パスp1乃至p3のパワー（以下、パスパワーと称する）と等価な幅とされている。
【００６７】
図６Ｂには、パスp1乃至p3のそれぞれの遅延プロファイルpp1乃至pp3が各矢印として示されている。各遅延プロファイルpp1乃至pp3の到来時刻は、各パスp1乃至p3の有効シンボルYSとGIとの境界の時刻を示している。また、各遅延プロファイルの矢印の長さは、各パスのパスパワーと等価の長さとされている。なお、遅延プロファイルpp1乃至pp3のそれぞれの矢印の長さ（パスパワー）を、以下、P1乃至P3と表すとする。
【００６８】
なお、図６Ａにおいて、FFT演算の処理対象となっているOFDMシンボル（図中符号GI，YSが付されているOFDMシンボル）の直前のOFDMシンボルを、以下、前OFDMシンボルMSと称する。また、FFT演算の処理対象となっているOFDMシンボルの次のOFDMシンボルを、以下、次OFDMシンボルTSと称する。なお、これらの前提は、以降においても同様である。
【００６９】
ISI量は、各パスのISIに侵食されている区間（以下、ISI侵食区間と称する）の長さとパスパワーの積の、全パスについての和として求められる。
【００７０】
いま、図６Ｂに示されるようなFFT区間候補が設定されたとする。
【００７１】
この場合、パスp1を基準にして考えると、パスp2とのISIは、パスp2のFFT演算の処理対象となっているOFDMシンボル以外のOFDMシンボルにおけるFFT区間候補の部分（図中符号ISIが付されている部分）で生じる。この部分の時間方向の長さを、以下、ISI侵食区間dt2と称する。また、パスp3とのISIは、パスp3のFFT演算の処理対象となっているOFDMシンボル以外のOFDMシンボルにおけるFFT区間候補の部分（図中符号ISIが付されている部分）で生じる。この部分の時間方向の長さを、以下、ISI侵食区間dt3と称する。この場合、ISI量は、dt2×P2＋dt3×P3と推定される。
【００７２】
なお、図６の例では、パスp2とのISI及びパスp3とのISIは、いずれも、前OFDMシンボルMSで生じている。しかしながら、ISIは、FFT区間候補によっては、次OFDMシンボルTSで生じる可能もある点に留意すべきである。
【００７３】
以上に説明したISI量の推定演算を、ISI推定フィルタを用いて遅延プロファイルに対してフィルタ処理を施すことによって実現することができる。
【００７４】
［ISI推定フィルタのフィルタ形状］
【００７５】
図７は、ISI推定フィルタの一例を示す図である。
【００７６】
図７において、縦軸はフィルタ係数をゲイン（gain）で示している。横軸はタップインデックスを示している。なお、以降のISI推定フィルタのフィルタ形状を示す図でも同様である。
【００７７】
図７の例のISI推定フィルタFIは、GIの長さの区間（以下、GI区間と称する）に対応するタップインデックスの区間でフィルタ係数が0となる形状を有している。なお、GI区間の時間的な後端（図中の、GI区間の右端）を、以下、後端f1と称する。GI区間の時間的な前端（図中の、GI区間の左端）を、以下、前端f2と称する。さらに、ISI推定フィルタFIは、後端f1より時間的に後の区間で、後端f1からの距離（以下、後端距離と称する）に比例してフィルタ係数が増加する形状を有している。即ち、ISI推定フィルタFIは、後端f1より時間的に後の区間で、傾きα1（α1＞0）の一次直線の形状を有している。なお、傾きα1は、フィルタ係数の、後端距離に対する増加率を示している。傾きα1の値は任意であるが、本実施の形態では、１であるとする。また、ISI推定フィルタFIは、前端f2より時間的に前の区間で、前端f2からの距離（以下、前端距離と称する）に比例してフィルタ係数が増加する形状を有している。即ち、ISI推定フィルタFIは、前端f2より時間的に前の区間で、傾きα2（α2＜0）の一次直線の形状を有している。なお、傾きα2は、フィルタ係数の、前端距離に対する増加率を示している。傾きα2の値は任意であるが、本実施の形態では、−１であるとする。
【００７８】
但し、図７に示したフィルタ形状は、ISI推定フィルタFIのフィルタ形状の一例に過ぎない。ISI推定フィルタFIは、下に凸形状のフィルタであれば足りる。
【００７９】
［フィルタ処理によるISI量の推定の原理］
【００８０】
ISI推定フィルタFIを用いたフィルタ処理によるISI量の推定の原理について説明する。
【００８１】
図８は、遅延プロファイルとISI推定フィルタFIを重ねた状態を示す図である。
【００８２】
図８において、横軸は到来時刻を示している。図示せぬ縦軸は、遅延プロファイルについてはパスパワーを、ISI推定フィルタFIについてはフィルタ係数を、それぞれ示している。なお、以降の遅延プロファイルとISI推定フィルタを重ねた状態を示す図においても同様である。
【００８３】
なお、図８の遅延プロファイルpp1乃至pp3のそれぞれは、図６の遅延プロファイルpp1乃至pp3のそれぞれと同じものである。また、図８のISI推定フィルタFIは、図７のISI推定フィルタFIと同じものである。
【００８４】
図８に示されるように、前端f2がFFT区間候補の時間的な前端（FFTスタート時刻候補）に一致するように、ISI推定フィルタFIは配置される（従って、FFTスタート時刻候補としては、前端f2における到来時刻が用いられる）。図８の例では、遅延プロファイルpp1は、GI区間内にあるが、遅延プロファイルpp2及びpp3は、いずれも後端f1の時間的に後に存在する。いま、遅延プロファイルpp2及びpp3の後端距離を、それぞれ、DT2及びDT3とする。この場合、遅延プロファイルpp1に対して適用されるフィルタ係数は0である。遅延プロファイルpp2に対して適用されるフィルタ係数は、遅延プロファイルpp2の後端距離DT2となる。遅延プロファイルpp3に対して適用されるフィルタ係数は、遅延プロファイルpp3の後端距離DT3となる。
【００８５】
ISI推定部４２は、IFFT処理後の全データに対して、ISI推定フィルタFIを用いたフィルタ処理を施す。これにより、IFFT処理後の全データが式（１）に代入されて演算されることになる。その結果としてISI量が推定される。
【００８６】
【数１】
2010081514.tif 000003
・・・（１）
【００８７】
なお、式（１）において、NNは、IFFT処理後の全データのデータポイント数（IFFTポイント数）を示す。
【００８８】
図８の例では、IFFT処理後の全データの中で、パスパワー×フィルタ係数として0でない値を持つものは、次のものになる。即ち、そのようなものは、遅延プロファイルpp2に対応するデータポイントにおけるP2×DT2と、遅延プロファイルpp3に対応するデータポイントおけるP3×DT3だけとなる。従って、IFFT処理後の全データが式（１）に代入されて演算された結果、P2×DT2＋P3×DT3という処理結果が取得される。なお、後端距離DT2は、前述したISI侵食区間dt2に等しい。後端距離DT3は、前述したISI侵食区間dt3に等しい。従って、この処理結果は、P2×dt2＋P3×dt3、即ち、前述したISI量に一致する。
【００８９】
このように、ISI推定フィルタFIを用いたフィルタ処理によってISI量を推定することができる。以降においては、基本的に、このISI量の推定の手法が採用される。
【００９０】
［ISI推定部４２の処理］
【００９１】
図９は、図５のISI推定部４２の処理を説明するための図である。
【００９２】
図９Ａ１乃至図９Ｃ１は、遅延プロファイルとISI推定フィルタFIを重ねた状態を示す図である。図９Ａ２乃至図９Ｃ２は、各FFTスタート時刻候補に対するISI量を示す図である。
【００９３】
図９Ａ２乃至図９Ｃ２において、横軸はFFTスタート時刻候補を示している。図示せぬ縦軸はISI量を示している。なお、以降のFFTスタート時刻候補に対するISI量を示す図においても同様である。
【００９４】
図９Ａ１乃至図９Ｃ１の遅延プロファイルpp1乃至pp3のそれぞれは、図６の遅延プロファイルpp1乃至pp3のそれぞれと同じものである。また、図９Ａ１乃至図９Ｃ１のISI推定フィルタFIは、図７のISI推定フィルタFIと同じものである。
【００９５】
なお、この例では、ISI推定フィルタのフィルタ位置はN個あるとする。また、到来時刻が小さい方のフィルタ位置から順にISI推定フィルタがスイープされるとする。なお、到来時刻が小さい方からx番目のフィルタ位置を、以下、x(1≦x≦N)番目のフィルタ位置と称する。
【００９６】
スイープを開始する時、即ち、FFTスタート時刻候補がt1である時（1番目のフィルタ位置の時）、例えば、図９Ａの例では、遅延プロファイルpp1乃至pp3のうちの遅延プロファイルpp1のみがGI区間に含まれている。
【００９７】
ISI推定部４２は、IFFT処理後の全データに対して、ISI推定フィルタFIを用いたフィルタ処理を施す。これにより、IFFT処理後の全データが式（１）に代入されて演算される。その結果としてISI量が推定される。
【００９８】
図９Ａ１では、IFFT処理後の全データの中でパスパワーとして0以外の値を持つものは、遅延プロファイルpp1乃至pp3だけとなっている。これらのうちの遅延プロファイルpp1は、GI区間内にある。遅延プロファイルpp2及びpp3は、後端f1の時間的に後にある。遅延プロファイルpp2及びpp3のそれぞれの後端距離は、DT2a及びDT3aのそれぞれとなっている。従って、遅延プロファイルpp1、pp2、及びpp3に対して適用されるフィルタ係数は、それぞれ、0、DT2a、及びDT3aとなる。よって、IFFT処理後の全データの中で、パスパワー×フィルタ係数として0でない値を持つものは、次のようになる。即ち、そのようなものは、遅延プロファイルpp2に対応するデータポイントにおけるP2×DT2aと、遅延プロファイルpp3に対応するデータポイントおけるP3×DT3aとなる。従って、IFFT処理後の全データが式（１）に代入されて演算された結果、P2×DT2a＋P3×DT3aという処理結果が取得される。これにより、FFTスタート時刻候補t1に対するISI量D1が、pp2×DT2a＋pp3×DT3aと推定される。図９Ａ２には、このISI量D1が示されている。
【００９９】
そして、ISI推定部４２は、現在の1番目のフィルタ位置から所定時間だけ後の（図中右方向の）2番目のフィルタ位置にISI推定フィルタFIを配置し直す。
【０１００】
同様にして、FFTスタート時刻候補t2以降のISI量が推定される。
【０１０１】
即ち、FFTスタート時刻候補tk（2≦k≦N-1）の時（k番目のフィルタ位置の時）、例えば、図９Ｂの例では、遅延プロファイルpp1乃至pp3のうちの遅延プロファイルpp1及びpp2がGI区間に含まれている。
【０１０２】
ISI推定部４２は、IFFT処理後の全データに対して、ISI推定フィルタFIを用いたフィルタ処理を施す。これにより、IFFT処理後の全データが式（１）に代入されて演算される。その結果としてISI量が推定される。
【０１０３】
図９Ｂ１では、IFFT処理後の全データの中でパスパワーとして0以外の値を持つものは、遅延プロファイルpp1乃至pp3だけとなっている。これらのうちの遅延プロファイルpp1及びpp2は、GI区間内にある。遅延プロファイルpp3は、後端f1の時間的に後にある。遅延プロファイルpp3の後端距離は、DT3bとなっている。従って、遅延プロファイルpp1、pp2、及びpp3に対して適用されるフィルタ係数は、それぞれ、0、0、及びDT3bとなる。よって、IFFT処理後の全データの中で、パスパワー×フィルタ係数として0でない値を持つものは、遅延プロファイルpp3に対応するデータポイントおけるP3×DT3bとなる。従って、IFFT処理後の全データが式（１）に代入されて演算された結果、P3×DT3bという処理結果が取得される。これにより、FFTスタート時刻候補tkに対するISI量Dkが、pp3×DT3bと推定される。図９Ｂ２には、このISI量Dkが示されている。
【０１０４】
そして、ISI推定部４２は、現在のk番目のフィルタ位置から所定時間だけ後のk+1番目のフィルタ位置にISI推定フィルタFIを配置し直す。
【０１０５】
FFTスタート時刻候補tkの時、遅延プロファイルpp1だけでなく遅延プロファイルpp2もGI区間に含まれており、残る遅延プロファイルpp3の後端距離DT3bは、FFTスタート時刻候補t1のときの後端距離DT3aに比べて小さい。従って、FFTスタート時刻候補tkでのISI量Dkは、FFTスタート時刻候補t1でのISI量D1に比べて小さくなる。
【０１０６】
同様にして、FFTスタート時刻候補t(k+1)以降のISI量が推定される。
【０１０７】
FFTスタート時刻候補tNの時（N番目のフィルタ位置の時）、例えば、図９Ｃの例では、遅延プロファイルpp1乃至pp3のうちの遅延プロファイルpp3のみがGI区間に含まれている。
【０１０８】
ISI推定部４２は、IFFT処理後の全データに対して、ISI推定フィルタFIを用いたフィルタ処理を施す。これにより、IFFT処理後の全データが式（１）に代入されて演算される。その結果としてISI量が推定される。
【０１０９】
図９Ｂ１では、IFFT処理後の全データの中でパスパワーとして0以外の値を持つものは、遅延プロファイルpp1乃至pp3だけとなっている。これらのうちの遅延プロファイルpp3は、GI区間内にある。遅延プロファイルpp1及びpp2は、前端f2の時間的に前にある。遅延プロファイルpp1及びpp2の前端距離は、それぞれ、DT1c及びDT2cとなっている。従って、遅延プロファイルpp1、pp2、及びpp3に対して適用されるフィルタ係数は、それぞれ、DT1c、DT2c、及び0となる。よって、IFFT処理後の全データの中で、パスパワー×フィルタ係数として0でない値を持つものは、次のものになる。即ち、そのようなものは、遅延プロファイルpp1に対応するデータポイントおけるP1×DT1cと、遅延プロファイルpp2に対応するデータポイントおけるP2×DT2cになる。従って、IFFT処理後の全データが式（１）に代入されて演算された結果、P1×DT1c＋P2×DT2cという処理結果が取得される。これにより、FFTスタート時刻候補tNに対するISI量DNが、P1×DT1c＋P2×DT2cと推定される。図９Ｃ２には、このISI量DNが示されている。
【０１１０】
FFTスタート時刻候補tNの時、パスパワーが小さい遅延プロファイルpp3だけがGI区間に含まれている。従って、FFTスタート時刻候補tNでのISI量DNは、FFTスタート時刻候補tkでのISI量Dkに比べて大きくなる。
【０１１１】
このようにして、全FFTスタート時刻候補t1乃至tNに対するISI量がそれぞれ推定される。その結果、図９Ｃ２に示されるように、各FFTスタート時刻候補に対するISI量は、下に凸の形状で変化することになる。これにより、次に説明するような、ISI量が最小となるFFTスタート時刻候補の探索が可能となる。
【０１１２】
［最小値探索部４３による探索結果］
【０１１３】
図１０は、図５の最小値探索部４３によるFFTスタート時刻候補の探索結果の一例を説明するための図である。
【０１１４】
図１０Ａは、遅延プロファイルを示す図である。図１０Ｂは、各FFTスタート時刻候補に対するISI量を示す図である。図１０Ｃは、OFDM時間領域信号の構成を示す図である。
【０１１５】
図１０Ａの遅延プロファイルpp1乃至pp3のそれぞれは、図６の遅延プロファイルpp1乃至pp3のそれぞれと同じものである。また、図１０Ｂの各FFTスタート時刻候補に対するISI量は、図９Ｃ２の各FFTスタート時刻候補に対するISI量と同じものである。
【０１１６】
図１０Ｂの例では、全ISI量のうちの最小のISI量は、ISI量Dkとなっている。従って、ISI量Dkが得られた時のFFTスタート時刻候補（FFTスタート時刻候補tk）が、FFTスタート時刻として探索された。
【０１１７】
図１０Ｃに示されるように、このFFTスタート時刻は、パスp1のGIと有効シンボルYSとの境界に一致している。この場合、パスパワーの最も少ないパスp3のみがISIに侵されており、確かにISI量が最小となっていることが分かる。
【０１１８】
［シンボル同期部１５の処理例］
【０１１９】
図１１は、図６のシンボル同期部１５の処理（図５のステップＳ４のシンボル同期処理）の一例を説明するフローチャートである。
【０１２０】
ステップＳ２１において、シンボル同期部１５のIFFT部４１は、伝送路推定値群に対してIFFT処理を施すことで遅延プロファイルを取得する。
【０１２１】
ステップＳ２２において、ISI推定部４２は、ISI推定フィルタをスイープさせながら、遅延プロファイルに対してフィルタ処理を施すことで、各FFTスタート時刻候補に対するISI量を推定する。
【０１２２】
ステップＳ２３において、最小値探索部４３は、ISI量が最小になるFFTスタート時刻候補を、FFTスタート時刻として探索して出力する。
【０１２３】
＜２．第２の実施形態＞
【０１２４】
次に、第２の実施形態について説明する。
【０１２５】
第２の実施形態のOFDM復調装置では、正しい遅延プロファイルを得るために遅延プロファイルを補正する。
【０１２６】
なお、第２の実施形態のOFDM復調装置についての理解をより容易にするために、正しい遅延プロファイルを得るという補正の目的について説明する。
【０１２７】
上述したように、ISDB-T規格では、３サブキャリアに１つの割合でSP信号が配置されている。従って、SP信号を含むサブキャリアの伝送路推定値群に対してIFFT処理を施すと、有効シンボル長Tuの1/3（Tu/3）毎の折り返し（エイリアシング）によるまぼろしの遅延プロファイルが現れる。換言すると、SP信号を含むサブキャリアの伝送路推定値群が同じであっても、次に説明するプリエコーの場合と、ポストエコーの場合の２つの場合がありうる。
【０１２８】
［プリエコーとポストエコー］
【０１２９】
図１２は、プリエコーとポストエコーについて説明するための図である。
【０１３０】
図１２Ａ１は、プリエコーの場合のOFDM時間領域信号の構成を示す図である。図１２Ａ２は、プリエコーの場合の遅延プロファイルを示す図である。図１２Ａ３は、プリエコーの場合の伝送路推定値群を示す図である。図１２Ｂ１は、ポストエコーの場合のOFDM時間領域信号の構成を示す図である。図１２Ｂ２は、ポストエコーの場合の遅延プロファイルを示す図である。図１２Ｂ３は、ポストエコーの場合の伝送路推定値群を示す図である。
【０１３１】
図１２Ａ１の例では、OFDM時間領域信号は、パスp1とパスp2から構成される。パスp2を基準とすると、パスp1は、基準とするパスp2に対して先行している。プリエコーとは、このような先行しているパスをいう。この場合、図１２Ａ２に示されるように、パスp1の遅延プロファイルpp1も、基準とするパスp2の遅延プロファイルpp2に対して時間的に前に存在している。図１２Ａ３には、これらの遅延プロファイルpp1及びpp2に対応するIFFT処理前の伝送路推定値群が示されている。
【０１３２】
図１２Ｂ１の例では、OFDM時間領域信号は、パスp2とパスp3から構成される。ここで、パスp2は、図１２Ａ１のパスp2と同じものである。このパスp2を基準とすると、パスp3は、基準とするパスp2に対して遅延している。ポストエコーとは、このような遅延しているパスをいう。この場合、図１２Ｂ２に示されるように、パスp3の遅延プロファイルpp3も、基準とするパスp2の遅延プロファイルpp2に対して時間的に後に存在している。図１２Ｂ３には、これらの遅延プロファイルpp1及びpp3に対応するIFFT処理前の伝送路推定値群が示されている。
【０１３３】
図１２Ｂ３の伝送路推定値群は、図１２Ａ３の伝送路推定値群と一致している。従って、伝送路推定値群に対してIFFT処理を施すことで得られる遅延プロファイルだけから、プリエコーとポストエコーを識別することは不可能である。
【０１３４】
シンボル同期部１５では、プリエコーとポストエコーを識別し、正しい遅延プロファイル（以下、真の遅延プロファイルと称する）を求めることが要求される。
【０１３５】
そこで、第２の実施形態以降の実施形態では、IFFT処理により得られる遅延プロファイルが、真の遅延プロファイルに補正される。この補正を行う際には、遅延プロファイルをある基準となる位置を中心として回転する必要がある。この基準となる位置を、以下、基準位置と称する。なお、遅延プロファイルの回転については、後述する。
【０１３６】
以上のように、遅延プロファイルの補正の目的は、真の遅延プロファイルを得ることにある。
【０１３７】
［OFDM復調装置の構成例］
【０１３８】
図１３は、第２の実施形態のOFDM復調装置の構成例を示す図である。
【０１３９】
なお、図１３において、図４における対応する部分には同じ符号を付しており、その説明を適宜省略する。
【０１４０】
図１３のOFDM復調装置１００は、図２のOFDM復調装置１０と基本的に同一の構成とされる。但し、図１３のOFDM復調装置１００には、相関ピーク重心計算部１１１が、基準位置としての後述する重心位置を求めるブロックとして追加されている。さらに、図１３のOFDM復調装置１００には、図２のOFDM復調装置１０におけるシンボル同期部１５に代えて、シンボル同期部１１２が、重心位置に基づきFFT区間を決定するブロックとして設けられている。
【０１４１】
即ち、OFDM復調装置１００には、アンテナ１１、チューナ１２、A/D変換部１３、直交復調部１４、FFT部１６、SP抽出部１７、及び時間方向伝送路推定部１８が設けられている。さらに、OFDM復調装置１００には、周波数補間フィルタ選択部１９、周波数補間部２０、除算部２１、誤り訂正部２２、表示部２３、相関ピーク重心計算部１１１、及びシンボル同期部１１２が設けられている。
【０１４２】
相関ピーク重心計算部１１１は、直交復調部１４からのOFDM時間領域信号を有効シンボル長Tuだけ遅延させ、遅延後のOFDM時間領域信号と遅延させていないOFDM時間領域信号との相関をとる相関処理を行う。その結果として、相関値群が得られる。相関ピーク重心計算部１１１は、相関値群に対して移動平均処理を施す。その結果得られる相関値群の各相関値は、簡易的な遅延プロファイルとみなすことができる。相関ピーク重心計算部１１１は、全ての簡易的な遅延プロファイルについての重心位置（以下、適宜、重心位置と称する）を式（２）を用いて求める。相関ピーク重心計算部１１１は、求めた重心位置をシンボル同期部１１２に供給する。
【０１４３】
重心位置＝〔Σ（パスパワー×到来時刻）〕／〔Σ（パスパワー）〕      ・・・（２）
【０１４４】
なお、式（２）において、Σは、移動平均処理が施された相関値群の全データポイントについての積算を意味する。また、式（２）において、パスパワーとは、簡易的な遅延プロファイルに対応するパスパワーを意味する。従って、パスパワーは、簡易的な遅延プロファイルの長さとして求めることができる。
【０１４５】
シンボル同期部１１２は、時間方向伝送路推定部１８からの伝送路推定値群を用いて、遅延プロファイルを推定する。シンボル同期部１１２は、重心位置を用いて遅延プロファイルを補正する。シンボル同期部１１２は、補正後の遅延プロファイルからFFTスタート時刻を決定してFFT部１６に供給する。このようなシンボル同期部１１２による一連の処理を、以下、シンボル同期処理と称する。シンボル同期部１１２やシンボル同期処理の詳細例については、後述する。
【０１４６】
［シンボル同期部１１２の構成例］
【０１４７】
図１４は、図１３のシンボル同期部１１２の詳細な構成例を示す図である。
【０１４８】
なお、図１４において、図５における対応する部分には同じ符号を付しており、その説明を適宜省略する。
【０１４９】
図１４のシンボル同期部１１２は、図５のシンボル同期部１５と基本的に同じ構成とされる。但し、図１４のシンボル同期部１１２には、重心位置補正部１３１が、重心位置に基づき遅延プロファイルを補正するブロックとして追加されている。
【０１５０】
即ち、シンボル同期部１１２は、IFFT部４１、ISI推定部４２、最小値探索部４３、及び重心位置補正部１３１から構成されている。
【０１５１】
［重心位置補正部１３１の処理の詳細］
【０１５２】
重心位置補正部１３１は、IFFT部４１からの重心位置が中心となるように、遅延プロファイルを補正し、補正後の遅延プロファイルをISI推定部４２に供給する。即ち、重心位置補正部１３１は、遅延プロファイルを基準位置を中心として回転する。例えば、重心位置補正部１３１は、全ての遅延プロファイルのうち、重心位置からTu/6より離れて存在する遅延プロファイルを削除する。重心位置補正部１３１は、その代わりに、削除した遅延プロファイルの折り返しの遅延プロファイルであって、プロファイル中心位置からTu/6以内の遅延プロファイルを新たに追加する。
【０１５３】
図１５は、図１４の重心位置補正部１３１による遅延プロファイルの補正について説明するための図である。
【０１５４】
図１５Ａは、補正前の遅延プロファイルを示す図である。図１５Ｂは、補正後の遅延プロファイルを示す図である。
【０１５５】
図１５Ａの例では、補正前の遅延プロファイルとして、遅延プロファイルpp1及びpp2が存在している。
【０１５６】
いま、図１５Ａに示されるように、重心位置が遅延プロファイルpp2の右側に与えられたとする。
【０１５７】
重心位置補正部１３１は、遅延プロファイルpp1及びpp2のうち、重心位置からTu/6より離れて存在する遅延プロファイルを削除する。これにより、図１５Ｂに示されるように、遅延プロファイルpp1が削除される。重心位置補正部１３１は、その代わりに、削除した遅延プロファイルpp1の折り返しの遅延プロファイルであって、プロファイル中心位置からTu/6以内の遅延プロファイルを新たに追加する。これにより、図１５Ｂに示されるように、遅延プロファイルpp1'が新たに追加される。
【０１５８】
即ち、この例では、遅延プロファイルpp1及びpp1'のうちの遅延プロファイルpp1'が真の遅延プロファイルとされたことになる。従って、ポストエコーが識別されたことになる。
【０１５９】
このようにして、重心位置補正部１３１は、プリエコーとポストエコーを識別して、遅延プロファイルの間違いを補正できる。換言すると、重心位置補正部１３１は、重心位置の推定情報を用いることで、遅延プロファイルの推定精度を向上させることができる。従って、重心位置補正部１３１は、ISI量の推定精度を高めることができ、その結果、高精度にFFT区間を決定することができる。
【０１６０】
［シンボル同期処理の処理例］
【０１６１】
図１６は、図１４のシンボル同期部１１２の処理例について説明するフローチャートである。
【０１６２】
なお、図１６のステップＳ６１の処理は、図１１のステップＳ２１の処理と同じである。また、図１６のステップＳ６３及びＳ６４の処理は、図１１のステップＳ２２及びＳ２３の処理と同じである。従って、これらの処理の説明を省略する。
【０１６３】
ステップＳ６２において、シンボル同期部１１２の重心位置補正部１３１は、IFFT部４１からの重心位置が中心となるように、遅延プロファイルを補正し、補正後の遅延プロファイルをISI推定部４２に供給する。
【０１６４】
＜３．第３の実施の形態＞
【０１６５】
次に、第３の実施の形態について説明する。
【０１６６】
第３の実施の形態のOFDM復調装置では、FFT窓処理を行う際に適切なFFT区間を求める。
【０１６７】
第３の実施形態のOFDM復調装置の理解をより容易にするために、まずFFT窓処理と、FFT窓処理を行う際に適切なFFT区間について説明する。
【０１６８】
短遅延広がり環境、即ち、遅延広がりがGI区間に比べて小さい環境において、ISIに侵されていないGIの区間（以下、ISIに侵されていないGI区間と称する）を用いて、FFT処理後のS/Nを向上する処理が知られている。この処理がFFT窓処理である。このFFT窓処理については、例えば、特開２００５−３０３４４０号公報に記載されている。このFFT窓処理を行う際に適切なFFT区間とは、ISIに侵されていないGI区間を最大限にとることができるようなFFT区間を指す。
【０１６９】
［OFDM復調装置の構成例］
【０１７０】
図１７は、OFDM復調装置の構成例を示す図である。
【０１７１】
なお、図１７において、図１３における対応する部分には同じ符号を付しており、その説明を適宜省略する。
【０１７２】
図１７のOFDM復調装置２００は、図１３のOFDM復調装置１００と基本的に同一の構成とされる。但し、図１７のOFDM復調装置２００には、図１３のOFDM復調装置１００におけるFFT部１６及び周波数補間フィルタ選択部１９に代えて、FFT部２１１及び周波数補間フィルタ選択部２１２がそれぞれ設けられている。さらに、図１７のOFDM復調装置２００には、図１３のOFDM復調装置１００におけるシンボル同期部１１２に代えて、シンボル同期部２１３が設けられている。
【０１７３】
即ち、OFDM復調装置２００には、アンテナ１１、チューナ１２、A/D変換部１３、直交復調部１４、SP抽出部１７、時間方向伝送路推定部１８、及び周波数補間部２０が設けられている。さらに、OFDM復調装置２００には、除算部２１、誤り訂正部２２、表示部２３、相関ピーク重心計算部１１１、FFT部２１１、周波数補間フィルタ選択部２１２、及びシンボル同期部２１３が設けられている。
【０１７４】
周波数補間フィルタ選択部２１２は、SP信号を含むサブキャリアの伝送路推定値から遅延広がりを求め、シンボル同期部２１３に供給する。ここで、遅延広がりとは、真の遅延プロファイルが分布している時間範囲をいう。例えば、周波数補間フィルタ選択部２１２は、SP信号を含むサブキャリアの伝送路推定値群から、真の遅延プロファイルを求める。周波数補間フィルタ選択部２１２は、求めた真の遅延プロファイルから、遅延広がりを求める。
【０１７５】
［遅延広がり］
【０１７６】
図１８は、遅延広がりを説明するための図である。
【０１７７】
図１８Ａは、OFDM時間領域信号の構成を示す図である。図１８Ｂは、真の遅延プロファイルを示す図である。
【０１７８】
図１８の例では、図中左から順に真の遅延プロファイルpp1乃至pp3が存在する。従って、真の遅延プロファイルpp1乃至pp3のうちの時間的に最前の遅延プロファイルpp1から最後の遅延プロファイルpp3までの時間範囲が、遅延広がりとして求められる。
【０１７９】
シンボル同期部２１３は、遅延広がり及び重心位置を用いて、時間方向伝送路推定部１８からの伝送路推定値群から、FFTスタート時刻を決定してFFT部２１１に供給する。これにより、FFT区間も決定される。また、シンボル同期部２１３は、ISIに侵されていないGI区間を遅延広がりから割り出し、FFT部２１１に通知する。このようなシンボル同期部２１３による一連の処理を、以下、シンボル同期処理と称する。シンボル同期部３１２やシンボル同期処理の詳細例については、後述する。
【０１８０】
FFT部２１１は、ISIに侵されていないGI区間を考慮して、適切なFFT窓を設定し、遅延プロファイルに対してFFT処理を施す。FFT部２１１は、FFT処理後の信号をOFDM周波数領域信号として除算部２１に供給する。
【０１８１】
［シンボル同期部２１３の構成例］
【０１８２】
図１９は、図１７のシンボル同期部２１３の詳細な構成例を示す図である。
【０１８３】
図１９において、図１４における対応する部分には同じ符号を付しており、その説明は適宜省略する。
【０１８４】
図１９のシンボル同期部２１３には、図１４におけるISI推定部４２に代えて、フィルタ形状可変ISI推定部２２１が設けられている。
【０１８５】
即ち、シンボル同期部２１３は、IFFT部４１、最小値探索部４３、重心位置補正部１３１、及びフィルタ形状可変ISI推定部２２１から構成されている。
【０１８６】
フィルタ形状可変ISI推定部２２１は、遅延広がりに応じて、ISI推定フィルタFIのフィルタ形状を変更する。フィルタ形状可変ISI推定部２２１は、フィルタ形状の変更後のISI推定フィルタFIをスイープさせながら、重心位置補正部１３１からの補正後の遅延プロファイルに対して、ISI推定フィルタFIでフィルタ処理を施す。これにより、各FFTスタート時刻候補に対するISI量が推定される。
【０１８７】
［フィルタ形状可変ISI推定部２２１の処理例］
【０１８８】
図２０は、図１９のフィルタ形状可変ISI推定部２２１の処理例について説明するための図である。
【０１８９】
図２０Ａ１は、OFDM時間領域信号の構成を示す図である。図２０Ａ２は、遅延プロファイルを示す図である。図２０Ｂは、ISI推定フィルタFIのフィルタ形状を示す図である。
【０１９０】
図２０ＢのISI推定フィルタFIは、基本的に、図７のISI推定フィルタFIと同じ形状を有している。但し、図２０ＢのISI推定フィルタFIでは、フィルタ係数が0となる区間（以下、0区間と称する）の長さが、遅延広がりに応じて変更される。即ち、例えば、0区間の長さが、遅延広がりの長さに変更される。
【０１９１】
これは即ち、遅延広がりと0区間とが常に一致することを意味する。従って、ISI推定フィルタの0区間の前端f2が、全遅延プロファイルのうちの時間的に最も前の遅延プロファイルに一致するとする。この場合、0区間の後端f1も、全遅延プロファイルのうちの時間的に最も後の遅延プロファイルに一致する。従って、この条件を満たすフィルタ位置にISI推定フィルタが配置されているとき、ISI量は0と推定される。これに対して、この条件を満たすフィルタ位置からISI推定フィルタが時間方向にどちらにずれても、ISI量は0より大きくなる。従って、0区間の長さが遅延広がりの長さに変更されると、ISI量が最小となるFFTスタート時刻候補は常に１つだけ求まることになる。
【０１９２】
［最小値探索部４３の探索結果］
【０１９３】
図２１は、図１９の最小値探索部４３によるFFTスタート時刻候補の探索結果の一例を説明するための図である。
【０１９４】
図２１Ａは、各FFTスタート時刻候補に対するISI量を示す図である。図２１Ｂは、OFDM時間領域信号の構成を示す図である。
【０１９５】
なお、図２１Ａの各FFTスタート時刻候補に対するISI量は、図２０Ａ２の遅延プロファイルに対して、図２０ＢのISI推定フィルタを用いて、フィルタ処理を施すことで得られたものである。
【０１９６】
図２１Ａにも示されているように、ISI推定フィルタFIの0区間が遅延広がりの長さに設定されると、ISI量が最小となるFFTスタート時刻候補は１つだけ求まる。この１つだけ求まったFFTスタート時刻候補がFFTスタート時刻とされる。これにより、図２１Ｂに示されるように、パスp1及びp2のうち、時間的に前のパスp1におけるGIと有効シンボルYSの境界がFFTスタート時刻として求まる。これにより、ISIに侵されていないGI区間が最大となる。その結果、FFT処理後のS/Nを向上させることが可能となる。
【０１９７】
［シンボル同期処理の例］
【０１９８】
図２２は、図１９のシンボル同期部２１３の処理例について説明するフローチャートである。
【０１９９】
なお、図２２のステップＳ１１１及びＳ１１２の処理は、それぞれ、図１６のステップＳ６１及びＳ６２の処理と同じである。また、図２２のステップＳ１１４及びＳ１１５の処理は、それぞれ、図１６のステップＳ６３及びＳ６４の処理と同じである。従って、これらの処理の説明を省略する。
【０２００】
ステップＳ１１３において、フィルタ形状可変ISI推定部２２１は、遅延広がりに応じて、ISI推定フィルタFIのフィルタ形状を変更する。
【０２０１】
＜４．第４の実施の形態＞
【０２０２】
次に、第４の実施の形態について説明する。
【０２０３】
第４の実施の形態のOFDM復調装置でも、FFT窓処理を行う際に適切なFFT区間を求める。
【０２０４】
［OFDM復調装置の構成例］
【０２０５】
図２３は、OFDM復調装置の構成例を示す図である。
【０２０６】
なお、図２３において、図１７における対応する部分には同じ符号を付しており、その説明を適宜省略する。
【０２０７】
図２３のOFDM復調装置３００は、図１７のOFDM復調装置２００と基本的に同一の構成とされる。但し、図２３のOFDM復調装置３００には、図１７のOFDM復調装置２００における周波数補間フィルタ選択部２１２及びシンボル同期部２１３に代えて、周波数補間フィルタ選択部３１１及びシンボル同期部３１２がそれぞれ設けられている。また、図２３のOFDM復調装置３００では、図１７のOFDM復調装置２００における相関ピーク重心計算部１１１を削除されている。相関ピーク重心計算部１１１では、基準位置としての重心位置が求められていた。その代わりに、周波数補間フィルタ選択部３１１では、基準位置としての後述するプロファイル中心位置が求められる。
【０２０８】
即ち、OFDM復調装置３００には、アンテナ１１、チューナ１２、A/D変換部１３、直交復調部１４、SP抽出部１７、時間方向伝送路推定部１８、及び周波数補間部２０が設けられている。さらに、OFDM復調装置３００には、除算部２１、誤り訂正部２２、表示部２３、FFT部２１１、周波数補間フィルタ選択部３１１、及びシンボル同期部３１２が設けられている。
【０２０９】
周波数補間フィルタ選択部３１１は、SP信号を含むサブキャリアの伝送路推定値群に基づいて、等化後のS/Nを最大化するように、周波数補間部２０で用いる周波数補間フィルタのフィルタ種類を求める。さらに、周波数補間フィルタ選択部３１１は、等化後のS/Nを最大化するように、フィルタリング対象となる時間範囲の中心位置を、プロファイル中心位置として求める。周波数補間フィルタ選択部１９は、選択したフィルタ種類を示す周波数補間フィルタ選択信号を周波数補間部２０に供給する。また、周波数補間フィルタ選択部３１１は、求めたプロファイル中心位置を、シンボル同期部３１２に供給する。さらに、周波数補間フィルタ選択部３１１は、SP信号を含むサブキャリアの伝送路推定値から遅延広がりを求め、シンボル同期部３１２に供給する。
【０２１０】
シンボル同期部３１２は、プロファイル中心位置及び遅延広がりを用いて、時間方向伝送路推定部１８からの伝送路推定値群から、FFTスタート時刻を決定してFFT部２１１に供給する。これにより、FFT区間も決定される。このようなシンボル同期部３１２による一連の処理を、以下、シンボル同期処理と称する。シンボル同期部３１２やシンボル同期処理の詳細例については、後述する。
【０２１１】
［シンボル同期部３１２の構成例］
【０２１２】
図２４は、図２３のシンボル同期部３１２の詳細な構成例を示す図である。
【０２１３】
図２４において、図１９における対応する部分には同じ符号を付しており、その説明は適宜省略する。
【０２１４】
図２４のシンボル同期部３１２には、図１９におけるフィルタ形状可変ISI推定部２２１及び最小値探索部４３に代えて、ISI推定部４２（図１４）及び探索範囲制限最小値探索部３３２がそれぞれ設けられている。さらに、図２４のシンボル同期部３１２には、図１９における重心位置補正部１３１に代えて、中心位置補正部３３１が設けられている。
【０２１５】
即ち、シンボル同期部３１２は、IFFT部４１、ISI推定部４２、中心位置補正部３３１、及び探索範囲制限最小値探索部３３２から構成されている。
【０２１６】
なお、中心位置補正部３３１は、重心位置補正部１３１と基本的に同一の処理を行う。但し、中心位置補正部３３１では、重心位置の代わりに、プロファイル中心位置を用いて、遅延プロファイルに対して補正を行う。
【０２１７】
［ISI推定部４２で受信されるOFDM時間領域信号の例］
【０２１８】
図２５は、図２４のISI推定部４２で受信されるOFDM時間領域信号の一例を示す図である。
【０２１９】
図２５Ａは、OFDM時間領域信号の構成を示す図である。図２５Ｂは、遅延プロファイルを示す図である。
【０２２０】
図２５のOFDM時間領域信号は、２つのパスp1及びp2から構成されている。
【０２２１】
なお、この例でも、短遅延広がり環境、即ち、遅延広がりがGI区間に比べて小さい環境を想定している。
【０２２２】
ISI推定部４２において、図７のISI推定フィルタFIをスイープさせながら、図２５の遅延プロファイルに対してフィルタ処理を行ったとする。この場合、後述する図２６Ａに示されるような、各FFTスタート時刻候補に対するISI量が取得される。
【０２２３】
［探索範囲制限最小値探索部３３２の処理例］
【０２２４】
探索範囲制限最小値探索部３３２は、図６等の最小値探索部４３に対して、FFTスタート時刻候補の探索区間を遅延広がりに応じて制限する機能が追加されたブロックである。探索範囲制限最小値探索部３３２は、例えば、FFTスタート時刻候補の探索区間を、プロファイル中心位置の遅延広がりの1/2だけ前から、プロファイル中心位置の遅延広がりの1/2だけ後までの区間に制限する。探索範囲制限最小値探索部３３２は、制限した探索区間の中から、ISI量が最小となるFFTスタート時刻候補を探索する。
【０２２５】
図２６は、図２４の探索範囲制限最小値探索部３３２の処理例を説明するための図である。
【０２２６】
図２６Ａは、各FFTスタート時刻候補に対するISI量を示す図である。図２６Ｂは、ISI量が最小となるFFT区間候補の探索結果を示す図である。
【０２２７】
なお、図２６Ａの各FFTスタート時刻候補に対するISI量は、上述したように、図２５Ｂの遅延プロファイルに対して図７のISI推定フィルタを用いてフィルタ処理が施されることで得られたものである。
【０２２８】
図２６Ａの例では、探索区間（図中網掛けのない区間）の中から、プロファイル中心の遅延広がりの1/2だけ前のFFTスタート時刻候補が、ISI量が最小となるFFTスタート時刻候補として探索された。なお、プロファイル中心の遅延広がりの1/2だけ前のFFTスタート時刻候補を、以下、前エコー位置のFFTスタート時刻候補と称する。この例に限らず、多くの場合、前エコー位置のFFTスタート時刻候補が、ISI量が最小となるFFTスタート時刻候補として探索される。
【０２２９】
探索範囲制限最小値探索部３３２は、探索したFFTスタート時刻候補をFFTスタート時刻に決定する。これにより、図２６Ｂに示されるように、パスp1及びp2のうち、時間的に前のパスp1におけるGIと有効シンボルYSの境界の時刻がFFTスタート時刻として求まる。これにより、ISIに侵されていないGI区間が最大となる。その結果、第３の実施の形態の場合と同等のFFT処理後のS/N向上効果を得ることが可能となる。
【０２３０】
［シンボル同期部３１２の処理例］
【０２３１】
図２７は、図２４のシンボル同期部３１２の処理例について説明するフローチャートである。
【０２３２】
なお、図２７のステップＳ１３１の処理は、図２２のステップＳ１１１の処理と同じである。また、図２７のステップＳ１３３の処理は、図１６のステップＳ６３の処理と同じである。従って、これらの処理の説明を省略する。
【０２３３】
ステップＳ１３２において、シンボル同期部１１２の中心位置補正部１３１は、IFFT部４１からのプロファイル中心位置が中心となるように、遅延プロファイルを補正し、補正後の遅延プロファイルをISI推定部４２に供給する。
【０２３４】
ステップＳ１３４において、探索範囲制限最小値探索部３３２は、FFTスタート時刻候補の探索区間を、プロファイル中心位置の遅延広がりの1/2だけ前から、プロファイル中心位置の遅延広がりの1/2だけ後までの区間に制限する。探索範囲制限最小値探索部３３２は、制限した探索区間の中から、ISI量が最小となるFFTスタート時刻候補を探索して出力する。
【０２３５】
なお、図２４のシンボル同期部３１２によるFFTスタート時刻の決定手法に関連して、FFT窓処理を行う際の簡易的なFFTスタート時刻の決定手法（以下、簡易FFTスタート時刻決定手法と称する）について説明する。
【０２３６】
簡易FFTスタート時刻決定手法では、プロファイル中心位置と遅延広がりから、簡易的な計算によりFFTスタート時刻を決定する。
【０２３７】
即ち、簡易FFTスタート時刻決定手法では、（プロファイル中心位置−遅延広がり／2）を、前エコー位置のFFTスタート時刻候補として求める。この前エコー位置のFFTスタート時刻候補をFFTスタート時刻とすることで、シンボル同期部３１２と同等の実FFTスタート位置を決定することが可能となる。
【０２３８】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータに、プログラム記録媒体からインストールされる。または、各種のプログラムをインストールすることで、各種の機能を実行することが可能な、例えば汎用のパーソナルコンピュータなどに、プログラム記録媒体からインストールされる。
【０２３９】
［ハードウェアの構成例］
【０２４０】
図２８は、上述した一連の処理をプログラムにより実行するコンピュータのハードウェアの構成例を示すブロック図である。
【０２４１】
コンピュータにおいて、CPU４０１，ROM（Read Only Memory）４０２，RAM（Random Access Memory）４０３は、バス４０４により相互に接続されている。
【０２４２】
バス４０４には、さらに、入出力インタフェース４０５が接続されている。入出力インタフェース４０５には、キーボード、マウス、マイクロホンなどよりなる入力部４０６、ディスプレイ、スピーカなどよりなる出力部４０７、ハードディスクや不揮発性のメモリなどよりなる記憶部４０８が接続されている。さらに、入出力インタフェース４０５には、ネットワークインタフェースなどよりなる通信部４０９、磁気ディスク、光ディスク、光磁気ディスク、或いは半導体メモリなどのリムーバブルメディア４１１を駆動するドライブ４１０が接続されている。
【０２４３】
以上のように構成されるコンピュータでは、CPU４０１が、例えば、記憶部４０８に記憶されているプログラムを、入出力インタフェース４０５及びバス４０４を介して、RAM４０３にロードして実行することにより、上述した一連の処理が行われる。
【０２４４】
コンピュータ（CPU４０１）が実行するプログラムは、例えば、磁気ディスク（フレキシブルディスクを含む）であるリムーバブルメディア４１１に記録して提供される。プログラムは、パッケージメディアであるリムーバブルメディア４１１に記録して提供される。なお、パッケージメディアとしては、光ディスク（CD−ROM(Compact Disc−Read Only Memory),DVD(Digital Versatile Disc)等）、光磁気ディスク、もしくは半導体メモリなどが用いられる。あるいは、プログラムは、ローカルエリアネットワーク、インターネット、ディジタル衛星放送といった、有線または無線の伝送媒体を介して提供される。
【０２４５】
そして、プログラムは、リムーバブルメディア４１１をドライブ４１０に装着することにより、入出力インタフェース４０５を介して、記憶部４０８にインストールすることができる。また、プログラムは、有線または無線の伝送媒体を介して、通信部４０９で受信し、記憶部４０８にインストールすることができる。その他、プログラムは、ROM４０２や記憶部４０８に、あらかじめインストールしておくことができる。
【０２４６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２４７】
また、本発明の実施の形態は、上述した実施の形態に限定されるものではなく、本発明の要旨を逸脱しない範囲において種々の変更が可能である。
【図面の簡単な説明】
【０２４８】
【図１】OFDMシンボルを示す図である。
【図２】OFDM復調装置の構成例を示す図である。
【図３】図２のOFDM復調装置の処理例を説明するフローチャートである。
【図４】サブキャリアへのSP信号の割り当てを示す図である。
【図５】図２のシンボル同期部の詳細な構成例を示す図である。
【図６】遅延プロファイルを用いたISI量の推定について説明するための図である。
【図７】ISI推定フィルタのフィルタ形状の一例を示す図である。
【図８】遅延プロファイルとISI推定フィルタFIを重ねた状態を示す図である。
【図９】図５のISI推定部の処理を説明するための図である。
【図１０】図５の最小値探索部によるFFTスタート時刻候補の探索結果の一例を説明するための図である。
【図１１】図６のシンボル同期部の処理例を説明するフローチャートである。
【図１２】プリエコーとポストエコーを説明するための図である。
【図１３】OFDM復調装置の構成例を示す図である。
【図１４】図１３のシンボル同期部の詳細な構成例を示す図である。
【図１５】図１４の重心位置補正部による遅延プロファイルの補正について説明するための図である。
【図１６】図１４のシンボル同期部の処理例を説明するフローチャートである。
【図１７】OFDM復調装置の構成例を示す図である。
【図１８】遅延広がりを説明するための図である。
【図１９】図１７のシンボル同期部の詳細な構成例を示す図である。
【図２０】図１９のフィルタ形状可変ISI推定部の処理例を説明するための図である。
【図２１】図１９の最小値探索部によるFFTスタート時刻候補の探索結果の一例を説明するための図である。
【図２２】図１９のシンボル同期部の処理例を説明するフローチャートである。
【図２３】OFDM復調装置の構成例を示す図である。
【図２４】図２３のシンボル同期部の詳細な構成例を示す図である。
【図２５】図２４のISI推定部で受信されるOFDM時間領域信号の一例を示す図である。
【図２６】図２４の探索範囲制限最小値探索部の処理例を説明するための図である。
【図２７】図２４のシンボル同期部の処理例を説明するフローチャートである。
【図２８】本発明を適用したコンピュータのハードウェアの構成例を示すブロック図である。
【符号の説明】
【０２４９】
１０  OFDM復調装置，  １５  シンボル同期部，  ４１  IFFT部，  ４２  ISI推定部，  ４３  最小値探索部，  １００  OFDM復調装置，  １１１  相関ピーク重心計算部，  １１２  シンボル同期部，  １３１  重心位置補正部，  ２００  OFDM復調装置，  ２１１  FFT部，  ２１２  周波数補間フィルタ選択部，  ２１３  シンボル同期部，  ２２１  フィルタ形状可変ISI推定部，  ３００  OFDM復調装置，  ３１１  周波数補間フィルタ選択部，  ３１２  シンボル同期部，  ３３１  中心位置補正部，  ３３２  探索範囲制限最小値探索部，  ４０１  CPU，  ４０２  ROM，  ４０３  RAM，  ４０４  バス，  ４０５  入出力インタフェース，  ４０６  入力部，  ４０７  出力部，  ４０８  記憶部，  ４０９  通信部，  ４１０  ドライブ，  ４１１  リムーバブルメディア
【図１】
2010081514.tif 000004
【図２】
2010081514.tif 000005
【図３】
2010081514.tif 000006
【図４】
2010081514.tif 000007
【図５】
2010081514.tif 000008
【図６】
2010081514.tif 000009
【図７】
2010081514.tif 000010
【図８】
2010081514.tif 000011
【図９】
2010081514.tif 000012
【図１０】
2010081514.tif 000013
【図１１】
2010081514.tif 000014
【図１２】
2010081514.tif 000015
【図１３】
2010081514.tif 000016
【図１４】
2010081514.tif 000017
【図１５】
2010081514.tif 000018
【図１６】
2010081514.tif 000019
【図１７】
2010081514.tif 000020
【図１８】
2010081514.tif 000021
【図１９】
2010081514.tif 000022
【図２０】
2010081514.tif 000023
【図２１】
2010081514.tif 000024
【図２２】
2010081514.tif 000025
【図２３】
2010081514.tif 000026
【図２４】
2010081514.tif 000027
【図２５】
2010081514.tif 000028
【図２６】
2010081514.tif 000029
【図２７】
2010081514.tif 000030
【図２８】
2010081514.tif 000031